(57)【要約】  本発明の実施例は、無線通信方法、端末デバイス及びネットワークデバイスを提供し、端末デバイスがネットワークデバイスにより送信された第１の指示情報を受信することと、端末デバイスが第１の指示情報に基づいて、第１の論理チャネルを複数のキャリアの全てのキャリアにマッピングすることとを含み、第１の指示情報は、前記端末デバイスが１つ以上の無線ベアラのデータのコピー伝送を停止するように指示し、前記複数のキャリアは、前記ネットワークデバイスが前記端末デバイスのために構成したキャリアの全てのキャリアである。本発明の実施例では、端末デバイスは、第１の指示情報により、全てのキャリアに論理チャネルをマッピングすることができるので、論理チャネルが特定のキャリアに制限されることを回避でき、データ伝送の効率が向上する。
2020532158.tif 000002
【特許請求の範囲】
【請求項１】
端末デバイスがネットワークデバイスにより送信された第１の指示情報を受信することと、
前記端末デバイスが前記第１の指示情報に基づいて、第１の論理チャネルを複数のキャリアの全てのキャリアにマッピングすることとを含み、
前記第１の指示情報は、前記端末デバイスが１つ以上の無線ベアラのデータのコピー伝送を停止するように指示し、前記複数のキャリアは、前記ネットワークデバイスが前記端末デバイスのために構成したキャリアの全てのキャリアである
ことを特徴とする無線通信方法。
【請求項２】
前記方法は、さらに、
前記端末デバイスが前記第１の指示情報に基づいて、第１の論理チャネルと第２の論理チャネルとの関係が解放された前記第２の論理チャネルを前記複数のキャリアの全てのキャリアにマッピングすることを含む
ことを特徴とする請求項１に記載の無線通信方法。
【請求項３】
前記端末デバイスが前記第１の指示情報に基づいて、第１の論理チャネルを複数のキャリアの全てのキャリアにマッピングする前に、前記方法は、さらに、
前記端末デバイスが前記第１の指示情報に基づいて、前記第１の論理チャネルと第２の論理チャネルとの関係を解放することを含み、
前記第１の論理チャネルと第２の論理チャネルとの関係を解放する前に、前記第２の論理チャネルは、前記第１の論理チャネルのデータのコピーデータを伝送する
ことを特徴とする請求項１又は２に記載の無線通信方法。
【請求項４】
前記端末デバイスが前記第１の指示情報に基づいて、前記第１の論理チャネルと第２の論理チャネルとの関係を解放することは、
前記端末デバイスが前記第１の論理チャネルを介して第１のデータを伝送し、前記第２の論理チャネルを介して第２のデータを伝送し又は前記第２の論理チャネルを介してデータを伝送することを停止することを含む
ことを特徴とする請求項３に記載の無線通信方法。
【請求項５】
前記端末デバイスが前記第１の指示情報に基づいて、第１の論理チャネルを複数のキャリアの全てのキャリアにマッピングする前に、前記方法は、さらに、
前記端末デバイスが前記第１の指示情報に基づいて、予め設定された前記第１の論理チャネルと第１のキャリアとのマッピング関係を解放することを含む
ことを特徴とする請求項１〜４のいずれか１項に記載の無線通信方法。
【請求項６】
前記端末デバイスが前記第１の指示情報に基づいて、第２の論理チャネルを前記複数のキャリアの全てのキャリアにマッピングする前に、前記方法は、さらに、
前記端末デバイス前記第１の指示情報に基づいて、予め設定された前記第２の論理チャネルと第２のキャリアとのマッピング関係を解放するように構成される
ことを特徴とする請求項２〜５のいずれか１項に記載の無線通信方法。
【請求項７】
前記方法は、さらに、
前記端末デバイスが前記ネットワークデバイスに第２の指示情報を送信することを含み、
前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項２〜６のいずれか１項に記載の無線通信方法。
【請求項８】
前記端末デバイスが前記第１の指示情報に基づいて、第１の論理チャネルを複数のキャリアの全てのキャリアにマッピングすることは、
前記端末デバイスが前記第１の指示情報を受信した後、所定の時間間隔において前記第１の論理チャネルを前記複数のキャリアの全てのキャリアにマッピングすることを含む
ことを特徴とする請求項１〜７のいずれか１項に記載の無線通信方法。
【請求項９】
前記第１の指示情報は、メディアアクセス制御の制御ユニットＭＡＣ  ＣＥに搬送される
ことを特徴とする請求項１〜８のいずれか１項に記載の無線通信方法。
【請求項１０】
ネットワークデバイスが端末デバイスに第１の指示情報を送信することを含み、
前記第１の指示情報は、前記端末デバイスが１つ以上の無線ベアラのデータのコピー伝送を停止し、前記端末デバイスが第１の論理チャネルを複数のキャリアの全てのキャリアにマッピングするように指示し、前記複数のキャリアは、前記ネットワークデバイスが前記端末デバイスのために構成したキャリアの全てのキャリアである
ことを特徴とする無線通信方法。
【請求項１１】
前記第１の指示情報は、さらに、前記端末デバイスが第１の論理チャネルと第２の論理チャネルとの関係が解放された第２の論理チャネルを前記複数のキャリアの全てのキャリアにマッピングするように指示する
ことを特徴とする請求項１０に記載の無線通信方法。
【請求項１２】
前記方法は、さらに、
前記ネットワークデバイスが前記端末デバイスにより送信された第２の指示情報を受信することを含み、前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項１０又は１１に記載の無線通信方法。
【請求項１３】
前記第１の指示情報は、メディアアクセス制御の制御ユニットＭＡＣ  ＣＥに搬送される
ことを特徴とする請求項１０〜１２のいずれか１項に記載の無線通信方法。
【請求項１４】
ネットワークデバイスにより送信された第１の指示情報を受信するように構成される受信モジュールと、
前記第１の指示情報に基づいて、第１の論理チャネルを複数のキャリアの全てのキャリアにマッピングするように構成される処理モジュールとを含み、
前記第１の指示情報は、前記端末デバイスが１つ以上の無線ベアラのデータのコピー伝送を停止するように指示し、
前記複数のキャリアは、前記ネットワークデバイスが前記端末デバイスのために構成したキャリアの全てのキャリアである
ことを特徴とする端末デバイス。
【請求項１５】
前記処理モジュールは、さらに、前記第１の指示情報に基づいて、第１の論理チャネルと第２の論理チャネルとの関係が解放された第２の論理チャネルを前記複数のキャリアの全てのキャリアにマッピングするように構成される
ことを特徴とする請求項１４に記載の端末デバイス。
【請求項１６】
前記処理モジュールは、さらに、前記第１の指示情報に基づいて、前記第１の論理チャネルと第２の論理チャネルとの関係を解放するように構成され、
前記第１の論理チャネルと第２の論理チャネルとの関係を解放する前に、前記第２の論理チャネルは、前記第１の論理チャネルのデータのコピーデータを伝送する
ことを特徴とする請求項１４又は１５に記載の端末デバイス。
【請求項１７】
前記処理モジュールは、前記第１の論理チャネルを介して第１のデータを伝送し、前記第２の論理チャネルを介して第２のデータを伝送し又は前記第２の論理チャネルを介してデータを伝送することを停止するように構成される
ことを特徴とする請求項１６に記載の端末デバイス。
【請求項１８】
前記処理モジュールは、さらに、前記第１の指示情報に基づいて、予め設定された前記第１の論理チャネルと第１のキャリアとのマッピング関係を解放するように構成される
ことを特徴とする請求項１４〜１７のいずれか１項に記載の端末デバイス。
【請求項１９】
前記処理モジュールは、さらに、前記第１の指示情報に基づいて、予め設定された前記第２の論理チャネルと第２のキャリアとのマッピング関係を解放するように構成される
ことを特徴とする請求項１５〜１８のいずれか１項に記載の端末デバイス。
【請求項２０】
前記端末デバイスは、さらに、
前記ネットワークデバイスに第２の指示情報を送信するように構成される送信モジュールを含み、
前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項１５〜１９のいずれか１項に記載の端末デバイス。
【請求項２１】
前記処理モジュールは、さらに、前記第１の指示情報を受信した後、所定の時間間隔において前記第１の論理チャネルを前記複数のキャリアの全てのキャリアにマッピングするように構成される
ことを特徴とする請求項１４〜２０のいずれか１項に記載の端末デバイス。
【請求項２２】
前記第１の指示情報は、メディアアクセス制御の制御ユニットＭＡＣ  ＣＥに搬送される
ことを特徴とする請求項１４〜２１のいずれか１項に記載の端末デバイス。
【請求項２３】
端末デバイスに第１の指示情報を送信するように構成される送信モジュールを含み、
前記第１の指示情報は、前記端末デバイスが１つ以上の無線ベアラのデータのコピー伝送を停止し、前記端末デバイスが第１の論理チャネルを複数のキャリアの全てのキャリアにマッピングするように指示し、前記複数のキャリアは、前記ネットワークデバイスが前記端末デバイスのために構成したキャリアの全てのキャリアである
ことを特徴とするネットワークデバイス。
【請求項２４】
前記第１の指示情報は、さらに、前記端末デバイスが第１の論理チャネルと第２の論理チャネルとの関係が解放された第２の論理チャネルを前記複数のキャリアの全てのキャリアにマッピングするように指示する
ことを特徴とする請求項２３に記載のネットワークデバイス。
【請求項２５】
前記ネットワークデバイスは、さらに、
前記端末デバイスにより送信された第２の指示情報を受信するように構成される受信モジュールを含み、
前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項２３又は２４に記載のネットワークデバイス。
【請求項２６】
前記第１の指示情報は、メディアアクセス制御の制御ユニットＭＡＣ  ＣＥに搬送される
ことを特徴とする請求項２３〜２５のいずれか１項に記載のネットワークデバイス。
【発明の詳細な説明】
【技術分野】
【０００１】
本発明の実施例は、通信分野に関し、具体的に、無線通信方法、端末デバイス及びネットワークデバイスに関する。
【背景技術】
【０００２】
キャリアアグリゲーションシーンでは、パケットデータコンバージェンスプロトコル( Ｐａｃｋｅｔ Ｄａｔａ Ｃｏｎｖｅｒｇｅｎｃｅ Ｐｒｏｔｏｃｏｌ、ＰＤＣＰ )は、データ伝送の信頼性を向上させるために、１つのＰＤＣＰプロトコルデータユニット( Ｐｒｏｔｏｃｏｌ Ｄａｔａ Ｕｎｉｔ、ＰＤＵ )を２つ(場合によっては複数)にコピーするデータコピー機能をサポートすることができる。
【０００３】
従来、キャリアアグリゲーションシーンでは、コピーデータの伝送を行う際に、伝送データの論理チャネルとキャリアとの対応関係を構成する必要があったが、論理チャネルとキャリアとの対応関係をどのように解放するかについては具体的な方策が与えられておらず、論理チャネルが特定のキャリアに限定されてしまい、データ伝送効率が低いという問題があった。
【発明の概要】
【０００４】
本発明の実施例は、上記の問題点を解決するためになされたものであり、ネットワークデバイスが送信する第１の指示情報により、ネットワークデバイスが予め設定した論理チャネルとキャリアとのマッピング関係を解放することができ、論理チャネルを特定のキャリアに限定することなく、データ伝送の効率化を図ることができる無線通信方法、端末デバイス及びネットワークデバイスを提供する。
【０００５】
第１の態様は、無線通信方法を提供し、端末デバイスがネットワークデバイスにより送信された第１の指示情報を受信することと、前記端末デバイスが前記第１の指示情報に基づいて、第１の論理チャネルを複数のキャリアの全てのキャリアにマッピングすることとを含み、前記第１の指示情報は、前記端末デバイスが１つ以上の無線ベアラのデータのコピー伝送を停止するように指示し、前記複数のキャリアは、前記ネットワークデバイスが前記端末デバイスのために構成したキャリアの全てのキャリアである。
【０００６】
本発明の実施例では、端末デバイスがネットワークデバイスを介して送信する第１の指示情報により、論理チャネルとキャリアとのマッピング関係を解放し、論理チャネルを全てのキャリアにマッピングすることができ、論理チャネルが特定のキャリアに限定されないようにすることができ、データ伝送の効率を向上させることができる。
【０００７】
第１の態様と結合し、第１の態様の第１の実現可能な方式において、前記方法は、さらに、前記端末デバイス前記第１の指示情報に基づいて、第１の論理チャネルと第２の論理チャネルとの関係が解放された第２の論理チャネルを前記複数のキャリアの全てのキャリアにマッピングすることを含む。
【０００８】
第１の態様又は第１の態様的第１の実現可能な方式と結合し、第１の態様の第２の実現可能な方式において、前記端末デバイスが前記第１の指示情報に基づいて、第１の論理チャネルを複数のキャリアの全てのキャリアにマッピングする前に、前記方法は、さらに、前記端末デバイスが前記第１の指示情報に基づいて、前記第１の論理チャネルと第２の論理チャネルとの関係を解放することを含み、前記第１の論理チャネルと第２の論理チャネルとの関係を解放する前に、前記第２の論理チャネルは、前記第１の論理チャネルのデータのコピーデータを伝送する。
【０００９】
第１の態様、又は第１の態様の第１〜第２の実現可能な方式と結合し、第１の態様の第３の実現可能な方式において、前記端末デバイスが前記第１の指示情報に基づいて、前記第１の論理チャネルと第２の論理チャネルとの関係を解放することは、前記端末デバイスが前記第１の論理チャネルを介して第１のデータを伝送し、前記第２の論理チャネルを介して第２のデータを伝送し又は前記第２の論理チャネルを介してデータを伝送することを停止することを含む。
【００１０】
第１の態様又は第１の態様の第１〜第３の実現可能な方式と結合し、第１の態様の第４の実現可能な方式において、前記端末デバイスが前記第１の指示情報に基づいて、第１の論理チャネルを複数のキャリアの全てのキャリアにマッピングする前に、前記方法は、さらに、前記端末デバイスが前記第１の指示情報に基づいて、予め設定された前記第１の論理チャネルと第１のキャリアとのマッピング関係を解放することを含む。
【００１１】
第１の態様、又は第１の態様の第１〜第４の実現可能な方式と結合し、第１の態様の第５の実現可能な方式において、前記端末デバイスが前記第１の指示情報に基づいて、第２の論理チャネルを前記複数のキャリアの全てのキャリアにマッピングする前に、前記方法は、さらに、前記端末デバイス前記第１の指示情報に基づいて、予め設定された前記第２の論理チャネルと第２のキャリアとのマッピング関係を解放することを含む。
【００１２】
第１の態様、又は第１の態様の第１〜第５の実現可能な方式と結合し、第１の態様の第６の実現可能な方式において、前記方法は、さらに、前記端末デバイスが前記ネットワークデバイスに第２の指示情報を送信することを含み、前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示し、前記複数のキャリアは、前記ネットワークデバイスが前記端末デバイスのために構成したキャリアの全てのキャリアである。
【００１３】
第１の態様、又は第１の態様の第１〜第６の実現可能な方式と結合し、第１の態様の第７の実現可能な方式において、前記端末デバイスが前記第１の指示情報に基づいて、第１の論理チャネルを複数のキャリアの全てのキャリアにマッピングすることは、前記端末デバイスが前記第１の指示情報を受信した後、所定の時間間隔において前記第１の論理チャネルを前記複数のキャリアの全てのキャリアにマッピングすることを含む。
【００１４】
第１の態様、又は第１の態様の第１〜第７の実現可能な方式と結合し、第１の態様の第８の実現可能な方式において、前記第１の指示情報は、メディアアクセス制御の制御ユニットＭＡＣ  ＣＥに搬送される。
【００１５】
第２の態様は、無線通信方法を提供し、ネットワークデバイスが端末デバイスに第１の指示情報を送信することを含み、前記第１の指示情報は、前記端末デバイスが１つ以上の無線ベアラのデータのコピー伝送を停止し、前記端末デバイスが第１の論理チャネルを複数のキャリアの全てのキャリアにマッピングするように指示し、前記複数のキャリアは、前記ネットワークデバイスが前記端末デバイスのために構成したキャリアの全てのキャリアである。
【００１６】
第２の態様と結合し、第２の態様の第１の実現可能な方式において、前記第１の指示情報は、さらに、前記端末デバイスが第１の論理チャネルと第２の論理チャネルとの関係が解放された第２の論理チャネルを前記複数のキャリアの全てのキャリアにマッピングするように指示する。
【００１７】
第２の態様、又は第２の態様の第１の実現可能な方式と結合し、第２の態様の第２の実現可能な方式において、前記方法は、さらに、前記ネットワークデバイスが前記端末デバイスにより送信された第２の指示情報を受信することを含み、前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する。
【００１８】
第２の態様、又は第２の態様の第１〜第２の実現可能な方式と結合し、第２の態様の第３の実現可能な方式において、前記第１の指示情報は、メディアアクセス制御の制御ユニットＭＡＣ  ＣＥに搬送される。
【００１９】
第３の態様は、第１の態様の方法の実施例を実行するための１つまたは複数のモジュールを含む端末デバイスを提供する。
【００２０】
第４の態様は、第２の態様の方法の実施例を実行するための１つまたは複数のモジュールを含むネットワークデバイスを提供する。
【００２１】
第５の態様は、プログラムコードを記憶するためのメモリと、上記第１の態様及び上記第１の態様の各実装態様における方法を実現するためにプログラムコードを呼び出すためのプロセッサとを含む端末デバイスを提供する。
【００２２】
第６の態様は、プログラムコードを記憶するためのメモリと、第２の態様および第２の態様の実装形態における方法を実現するためにプログラムコードを呼び出すためのプロセッサとを含む、ネットワークデバイスを提供する。
【００２３】
第７の態様は、端末デバイスによって実行可能なプログラムコードを記憶するためのコンピュータ可読媒体を提供し、プログラムコードが、第１の態様及び第１の態様の実施例における方法を実行するための命令を含む。
【００２４】
第８の態様は、ネットワークデバイスによって実行可能なプログラムコードを記憶するためのコンピュータ可読媒体を提供し、プログラムコードが、第２の態様および第２の態様の実装形態の方法を実行するための命令を含む。
【００２５】
第９の態様は、入出力インターフェースと、コードを記憶するための少なくとも１つのメモリと、上記の態様の方法の動作を行うために少なくとも１つのメモリのコードを呼び出すための少なくとも１つのプロセッサと、バスとを含むシステムオンチップを提供する。
【図面の簡単な説明】
【００２６】
【図１】本発明の実施例における無線通信システムの概略構成図である。
【図２】本発明の実施例におけるキャリアアグリゲーションシーンにおけるコピーデータ伝送のプロトコルアーキテクチャ図である。
【図３】本発明の実施例における無線通信方法のフローチャートである。
【図４】本発明の実施例における無線通信方法の他のフローチャートである。
【図５】本発明の実施例における端末デバイスのブロック図である。
【図６】本発明の実施例における端末デバイスの他のブロック図である。
【図７】本発明の実施例における端末デバイスの他のブロック図である。
【図８】本発明の実施例におけるネットワークデバイスのブロック図である。
【図９】本発明の実施例におけるネットワークデバイスの他のブロック図である。
【図１０】本発明の実施例におけるネットワークデバイスの他のブロック図である。
【発明を実施するための形態】
【００２７】
以下、本願の実施例における技術的解決策を、本願の実施例における添付図面と併せて、明確かつ完全に説明する。
【００２８】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、汎用パケット無線サービス(Ｇｅｎｅｒａｌ  Ｐａｃｋｅｔ  Ｒａｄｉｏ  Ｓｅｒｖｉｃｅ：ＧＰＲＳ)、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、全地球相互接続マイクロ波アクセス(Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ )通信システム、又は将来の５Ｇシステム等の様々な通信システムに適用可能であることが理解されるべきである。
【００２９】
特に、本出願の実施例の技術的解決策は、スパースコード多元接続(Ｓｐａｒｓｅ  Ｃｏｄｅ  Ｍｕｌｔｉｐｌｅ  Ａｃｃｅｓｓ：ＳＣＭＡ)システム、低密度シグネチャ(Ｌｏｗ  Ｄｅｎｓｉｔｙ  Ｓｉｇｎａｔｕｒｅ：ＬＤＳ)システム等の様々な非直交多元接続技術に基づく通信システムに適用され得るが、ＳＣＭＡシステム及びLDＳシステムは、通信分野において別名としても知られてもよく、さらに、本願の実施例の技術的方式は、非直交多元接続技術を採用するマルチキャリア伝送システム、例えば、非直交多元接続技術を採用する直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ)、フィルタグループマルチキャリア(Ｆｉｌｔｅｒ  Ｂａｎｋ  Ｍｕｌｔｉ−Ｃａｒｒｉｅｒ：ＦＢＭＣ)、汎用周波数分割多重(Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：ＧＦＤＭ)、フィルタリング直交周波数分割多重(Ｆｉｌｔｅｒｅｄ−ＯＦＤＭ：Ｆ−ＯＦＤＭ)システム等に適用されてもよい。
【００３０】
本願の実施例における端末デバイスは、ユーザ装置(Ｕｓｅｒ Ｅｑｕｉｐｍｅｎｔ)、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ)電話、ワイヤレスローカルループ(Ｗｉｒｅｌｅｓｓ Ｌｏｃａｌ Ｌｏｏｐ：ＷＬＬ)局、パーソナルデジタル処理(Ｐｅｒｓｏｎａｌ Ｄｉｇｉｔａｌ Ａｓｓｉｓｔａｎｔ：ＰＤＡ)、ワイヤレス通信機能を有するハンドヘルドデバイス、コンピューティングデバイス、またはワイヤレスモデムに接続された他の処理デバイス、車載デバイス、ウェアラブルデバイス、将来の５Gネットワークにおける端末デバイス、または将来に発展する公共地上モバイル通信ネットワーク(Ｐｕｂｌｉｃ Ｌａｎｄ Ｍｏｂｉｌｅ Ｎｅｔｗｏｒｋ：ＰＬＭＮ)における端末デバイスなどであり得るが、本開示の実施例は限定されない。
【００３１】
本願の実施例におけるネットワークデバイスは、端末デバイスと通信するための装置であってもよく、該ネットワークデバイスは、ＧＳＭ又はＣＤＭＡにおける基地局(Ｂａｓｅ Ｔｒａｎｓｃｅｉｖｅｒ Ｓｔａｔｉｏｎ：ＢＴＳ)、ＷＣＤＭＡシステムにおける基地局(ＮｏｄｅＢ：ＮＢ)、ＬＴＥシステムにおける発展型基地局(Ｅｖｏｌｕｔｉｏｎａｌ ＮｏｄｅＢ  ｅＮＢ又はｅＮｏｄｅＢ )、クラウド無線アクセスネットワーク(Ｃｌｏｕｄ Ｒａｄｉｏ Ａｃｃｅｓｓ Ｎｅｔｗｏｒｋ：ＣＲＡＮ)シナリオにおける無線コントローラであってもよく、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００３２】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００３３】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３４】
任意選択で、端末デバイス１２０間の端末直接接続( Ｄｅｖｉｃｅ ｔｏ Ｄｅｖｉｃｅ：Ｄ２Ｄ )通信が行われてもよい。
【００３５】
任意選択で、５Ｇシステム又はネットワークは、新たな無線( Ｎｅｗ Ｒａｄｉｏ：ＮＲ )システム又はネットワークと呼ばれることもある。
【００３６】
図１に示すように、任意選択で、無線通信システム１００は、複数のネットワークデバイスを含み、各ネットワークデバイスのカバレージ内に他の数の端末デバイスを含んでもよく、本願の実施例は、これに限定されない。
【００３７】
キャリアアグリゲーションシーンでは、ＰＤＣＰは、データコピー機能をサポートすることができ、すなわち、ＰＤＣＰのデータコピー機能を利用して、コピーされたデータを２つ以上の論理チャネルに対応させ、最終的に、コピーされた複数の同一のＰＤＣＰ ＰＤＵが異なる物理層においてキャリアを集約して送信することを保証することができ、データ送信の信頼性を向上させるために周波数ダイバーシチゲインを達成する。
【００３８】
理解を容易にするために、コピーデータが異なる物理キャリア上にどのようにスケジューリングされるかを、図２を参照して簡単に説明する。図２に示すように、ＰＤＣＰ層は、スプリットベアラコピー機能を有し、ＰＤＣＰサービスデータユニット( Ｓｅｒｖｉｃｅ Ｄａｔａ Ｕｎｉｔ、ＳＤＵ )のデータプロセスをＰＤＣＰ ＰＤＵ１とＰＤＣＰ ＰＤＵ２としてコピーしてパッケージ化し、ＰＤＣＰ ＰＤＵ１とＰＤＣＰ ＰＤＵ２が同一内容を有し、すなわち、ベアラされたデータｐａｙｌｏａｄとパケットヘッダｈｅａｄｅｒが同じである。ＰＤＣＰ ＰＤＵ１およびＰＤＣＰ ＰＤＵ２は、それぞれ異なる無線リンク層制御プロトコル( Ｒａｄｉｏ Ｌｉｎｋ Ｃｏｎｔｒｏｌ、ＲＬＣ )エンティティにマッピングされ、ＲＬＣエンティティは、ＰＤＣＰ ＰＤＵ１およびＰＤＣＰ ＰＤＵ２を異なる論理チャネル(論理チャネル１および論理チャネル２ )上に配置し、メディアアクセス制御( Ｍｅｄｉａ Ａｃｃｅｓｓ Ｃｏｎｔｒｏｌ、ＭＡＣ )に対し、どの論理チャネルが同じＰＤＣＰ ＰＤＵのコピーデータを伝送したかを知った後、これらのコピーデータは、異なるハイブリッド自動再送要求( Ｈｙｂｒｉｄ Ａｕｔｏｍａｔｉｃ Ｒｅｐｅａｔ ｒｅＱｕｅｓｔ、ＨＡＲＱ )エンティティによって異なるキャリア上で送信され、例えば、論理チャネル１上で搬送されるコピーデータは、物理キャリア１上でＨＡＲＱエンティティ１によって送信され、論理チャネル２上で搬送されるコピーデータは、物理キャリア２上でＨＡＲＱエンティティ２によって送信される。
【００３９】
ＰＤＣＰデータコピー機能は、無線ベアラ( Ｒａｄｉｏ Ｂｅａｒ、ＲＢ )に基づいて構成されてもよく、すなわち、異なるＲＢがＰＤＣＰコピーデータ送信をサポートするように構成されてもよく、ＰＤＣＰコピーデータ送信を構成しなくてもよい。
【００４０】
ＲＢは、基地局が端末デバイスに割り当てる一連のプロトコルエンティティおよび構成の総称であり、ＰＤＣＰプロトコルエンティティ、ＲＬＣプロトコルエンティティ、ならびにＭＡＣおよび物理層( Ｐｈｙｓｉｃａｌ Ｌａｙｅｒ、ＰＨＹ )によって割り当てられる一連のリソースなどを含む。ＲＢは、シグナリング無線ベアラ( Ｓｉｇｎａｌｉｎｇ Ｒａｄｉｏ Ｂｅａｒｅｒ、ＳＲＢ )と、システムのシグナリングメッセージが実際に送信されるチャネルであるデータ無線ベアラ( Ｄａｔａ Ｒａｄｉｏ Ｂｅａｒｅｒ、ＤＲＢ )とを含み、ＤＲＢは、ユーザデータが実際に送信されるチャネルである。
【００４１】
図３は、本発明の実施例による無線通信方法３００の概略フローチャートを示しており、図３に示されるように、方法３００は、以下のステップの一部または全部を含む。
【００４２】
３１０において、端末デバイスがネットワークデバイスにより送信された第１の指示情報を受信し、当該第１の指示情報は、端末デバイスが１つ以上の無線ベアラのデータのコピー伝送を停止するように指示する。
【００４３】
３２０において、端末デバイスが第１の指示情報に基づいて、第１の論理チャネルを複数のキャリアの全てのキャリアにマッピングし、当該複数のキャリアは、ネットワークデバイスが端末デバイスのために構成したキャリアの全てのキャリアである。
【００４４】
具体的に、本発明の実施例では、端末デバイスが、ネットワークデバイスが送信する指示情報を受信することによって、１以上の無線ベアラのデータのコピー送信を停止し、当該第１の論理チャネルをネットワークデバイスが構成する複数のキャリアの全てにマッピングすることによって、第１の論理チャネルが複数のキャリアにデータを送信できるようにして、データ伝送のレートを向上させることができる。
【００４５】
なお、第１の論理チャネルは、１つ以上の無線ベアラ下の論理チャネルであり、無線ベアラが１つの場合、１つの無線ベアラ下の複数の論理チャネルであってもよいし、１つの無線ベアラ下の１つの論理チャネルであってもよいし、無線ベアラが複数の場合、複数の無線ベアラの各々下の１つの論理チャネルであってもよいし、複数の無線ベアラの各々下の複数の論理チャネルであってもよい。
【００４６】
つまり、当該第１の論理チャネルは、複数の論理チャネルであってもよいし、１つの論理チャネルであってもよい。
【００４７】
任意選択で、端末デバイスは、第１の指示情報を受信した後、コピーデータ伝送方式を用いてデータを伝送する際に確立されたマッピング関係を解放するようにしてもよい。
【００４８】
例えば、コピーデータ伝送方式を用いてデータを伝送する場合、論理チャネルＬＣＨ１はデータ情報の伝送に用いられ、論理チャネルＬＣＨ２は論理チャネルＬＣＨ１のデータ情報のコピーデータの伝送に用いられ、この場合、論理チャネルＬＣＨ１はキャリア１にマッピングされ、論理チャネル２はキャリア２にマッピングされ、端末デバイスは、第１の指示情報を受信した後、直ちに、上記論理チャネルＬＣＨ１と論理チャネルＬＣＨ２との関係を解放し、解放後、論理チャネルＬＣＨ２は論理チャネルＬＣＨ１のデータのコピーデータの伝送に用いず、端末デバイスは、論理チャネルＬＣＨ１とキャリア１とのマッピング関係、論理チャネルＬＣＨ２とキャリア２とのマッピング関係を解放してもよい。
【００４９】
なお、ここで「解放」は、ネットワークデバイス予め設定されたマッピング関係を解除することであり、又は、ネットワークデバイス予め設定されたマッピング関係が存在しないことである。
【００５０】
すなわち、端末デバイスは、第１の指示情報を受信した後、コピー伝送方式を用いてデータを伝送する際に確立されたマッピング関係を解放又は解除することができるように初期設定されている。
【００５１】
任意選択で、当該第１の指示情報は、メディアアクセス制御の制御ユニット（Ｍｅｄｉａ Ａｃｃｅｓｓ Ｃｏｎｔｒｏｌ Ｃｏｎｔｒｏｌ Ｅｌｅｍｅｎｔ、ＭＡＣ  ＣＥ）に搬送される。
【００５２】
任意選択で、端末デバイスが第１の指示情報を受信した後、端末デバイスが第１の論理チャネルを複数のキャリアの全てのキャリアにマッピングし、この時、端末デバイスが第２の論理チャネルを介してデータを伝送しない可能性があり、端末デバイスが第２の論理チャネルを複数のキャリアの全てのキャリアにマッピングするかどうかを関心しない。
【００５３】
任意選択で、端末デバイスが第１の指示情報を受信した後、端末デバイスが第２の論理チャネルを利用してデータを伝送する場合、当該第２の論理チャネルが伝送するデータが第１の論理チャネルが伝送するデータと異なる場合、端末デバイスが第１の論理チャネルを複数のキャリアの全てのキャリアにマッピングしてもよいし、第２の論理チャネルを複数のキャリアの全てのキャリアにマッピングしてもよい。
【００５４】
つまり、端末デバイスが第１の論理チャネルと第２の論理チャネルを利用して伝送するデータが異なるため、端末デバイスが第１の論理チャネルと第２の論理チャネルを全てのキャリアにそれぞれマッピングし、第１の論理チャネルと第２の論理チャネルがマッピングするキャリアが同一のキャリアでも、第１の論理チャネルと第２の論理チャネルでのデータ伝送に影響を与えない。
【００５５】
任意選択で、ある実施例において、端末デバイスが第１の論理チャネルを複数のキャリアの全てのキャリアにマッピングする前に、端末デバイスが第１の論理チャネルと第２の論理チャネルとの関係を解放し、第１の論理チャネルと第２の論理チャネルとの関係を解放する前に、第２の論理チャネルは、第１の論理チャネルのデータのコピーデータを伝送する論理チャネルであり、第１の論理チャネルと第２の論理チャネルとの関係を解放した後、第２の論理チャネルは、第１の論理チャネルのデータと異なるデータを伝送してもよいし、データを伝送しなくてもよい。
【００５６】
なお、ここで「解放」とは、ネットワークが予め設定したマッピング関係を解除することを意味し、例えば、第１の論理チャネルのデータのコピーデータを第２の論理チャネルが伝送するマッピング関係を解除すること、解放後に第２の論理チャネルが伝送するデータが第１の論理チャネルが伝送するデータとは無関係であること、すなわち、当該第２の論理チャネルが伝送するデータが第１の論理チャネルが伝送するデータと異なっていてもよいこと、または、第２の論理チャネルがデータを伝送しなくてもよいことを意味し、本発明の実施例はこれに限定されない。
【００５７】
なお、第１の論理チャネルと第２の論理チャネルとの関係は、ネットワークデバイスが無線リソース制御（Ｒａｄｉｏ Ｒｅｓｏｕｒｃｅ Ｃｏｎｔｒｏｌ、ＲＲＣ）シグナリングにより端末デバイスに構成されたものであってもよい。
【００５８】
任意選択で、端末デバイスが第１の論理チャネルを複数のキャリアの全てのキャリアにマッピングする前に、端末デバイスは、予め設定された第１の論理チャネルと第１のキャリアとのマッピング関係を解放してもよい。
【００５９】
なお、ここで「解放」とは、予め設定されたマッピング関係を解除すること、又は、予め設定されたマッピング関係が存在しないことを意味する。
【００６０】
すなわち、端末デバイスがネットワークデバイスに予め設定されたマッピング関係を解放する動作は、端末デバイスが第１の指示情報を受信した後に第１の指示情報に応じてマッピング関係を解放する動作を行ってもよいし、デフォルトしてもよく、即ち、端末デバイスが第１の指示情報を受信した後に、ネットワークデバイスが前に端末デバイスに構成されたマッピング関係が既に存在しないと認めてもよく、本発明の実施例ではこれに限定されない。
【００６１】
なお、この予め設定された第１の論理チャネルと第１のキャリアとのマッピング関係は、ネットワークデバイスがＲＲＣシグナリングを介して端末デバイスに構成することができ、例えば、ネットワークデバイスがＲＲＣシグナリングを介して論理チャネルＬＣＨ１をキャリア１に構成し、論理チャネルＬＣＨ２をキャリア２に構成することにより、異なる論理チャネルが同一のキャリアに対応する場合に論理チャネルによって伝送されるデータ情報の内容が同一であることによってデータ伝送の混乱を招くことを回避し、データ伝送の正確性を向上させることができる。
【００６２】
なお、第１のキャリアは、１つのキャリアであってもよいし、１セットのキャリアであってもよいが、本発明の実施例はこれに限定されないことを理解されたい。
【００６３】
したがって、予め設定された第１の論理チャネルと第１のキャリアとの間のマッピング関係は、１つの第１の論理チャネルが１セットの第１のキャリアを配置するものであってもよく、１つの第１の論理チャネルが１個の第１のキャリアを配置するものであってもよく、複数の第１の論理チャネルの各々が１セットの第１のキャリアを配置するものであってもよく、複数の第１の論理チャネルの各々が１つの第１のキャリアを配置するものであってもよく、または、他の可能な配置方式であってもよく、本発明の実施例はこれに限定されない。
【００６４】
任意選択で、端末デバイスが第２の論理チャネルを複数のキャリアの全てのキャリアにマッピングする前に、端末デバイスが予め設定された第２の論理チャネルと第２のキャリアとのマッピング関係を解放してもよい。
【００６５】
なお、ここの第２の論理チャネルが伝送するデータは、第１の論理チャネル伝送するデータと同じであってもよいし、第１の論理チャネルが伝送するデータ異なってもよい。
【００６６】
なお、端末デバイスが第２の論理チャネルを介してデータを伝送しない場合、予め設定された第２の論理チャネルと第２のキャリアとのマッピング関係を解放しなくてもよい。
【００６７】
なお、当該予め設定された第２の論理チャネルと第２のキャリアのマッピング関係は、ネットワークデバイスがＲＲＣシグナリングにより端末デバイスに構成されたものであってもよい。
【００６８】
なお、第２のキャリアは、１セットのキャリア、又は１つのキャリアである。
【００６９】
すなわち、当該予め設定された第２の論理チャネルと第２のキャリアとのマッピング関係は、１つの第２の論理チャネルが１セットの第２のキャリアを構成するものであってもよいし、１つの第２の論理チャネルが１つの第２のキャリアを構成するものであってもよいし、複数の第２の論理チャネルのそれぞれが、１セットの第２のキャリアを構成し、または、複数の第２の論理チャネルのそれぞれが、１つの第２のキャリアを構成する。
【００７０】
また、コピー伝送方式を用いてデータを伝送する場合に、第１のキャリアと第２のキャリアとを異なるキャリアとするか、または第１のキャリアと第２のキャリアとを異なるキャリアの組とすることで、端末デバイスが同一のキャリアまたは同一のキャリアの組で同一のデータを伝送することを回避し、データ伝送に混乱を回避し、データ伝送の信頼性を確保することができる。
【００７１】
任意選択で、ある実施例において、端末デバイスが第１の論理チャネルを複数のキャリアの全てのキャリアにマッピングした後、端末デバイスがネットワークデバイスに第２の指示情報を送信し、当該第２の指示情報は、端末デバイスが第１の論理チャネルを複数のキャリアの全てのキャリアにマッピングしたことを指示する。
【００７２】
任意選択で、当該第２の指示情報は、端末デバイスが第２の論理チャネルを複数のキャリアの全てのキャリアにマッピングしたことを指示する。
【００７３】
つまり、端末デバイスが第１の論理チャネルを全てのキャリアにマッピングした後、及び／又は端末デバイスが第２の論理チャネルを全てのキャリアにマッピングした後、端末デバイスがこのマッピング関係をネットワークデバイスに通知して、ネットワークデバイスが現在の第１の論理チャネルのマッピング関係及び／又は第２の論理チャネルのマッピング関係を把握し、ネットワークデバイスが第１の論理チャネル及び／又は第２の論理チャネルのマッピング関係を知らない場合、端末デバイスに第１の指示情報を重複して送信することを解放し、シグナリングオーバーヘッドを小さくでき、消費電力を低減できる。
【００７４】
任意選択で、第２の指示情報は、ＭＡＣ層において端末デバイスが保持する論理チャネルに対応するローカル変数であってもよく、例えば、第１の論理チャネルに対応するローカル変数が「０」の場合、複数のキャリアの全てに第１の論理チャネルをマッピングすることを指示するために用いられ、第２の論理チャネルに対応するローカル変数が「０」の場合、複数のキャリアの全てに第２の論理チャネルをマッピングすることを指示するために用いられてもよい。
【００７５】
任意選択で、端末デバイスは、第１の指示情報を受信した後、直ちに全てのキャリアに第１の論理チャネルをマッピングするか、第１の論理チャネルと第２の論理チャネルとをそれぞれ全てのキャリアにマッピングするかを選択してもよいし、所定の時間間隔後に全てのキャリアに第１の論理チャネルをマッピングするか、所定の時間間隔後に全てのキャリアに第１の論理チャネルと第２の論理チャネルとをそれぞれマッピングするかを選択してもよい。
【００７６】
すなわち、端末デバイスは、受信した第１の指示情報の時間に基づいて、第１の論理チャネルおよび/または第２の論理チャネルがすべてのキャリアにマッピングされる時間を決定してもよい。
【００７７】
例えば、端末デバイスがｎ番目のサブフレームで第１の指示情報を受信すると、端末デバイスはｎ番目のサブフレームで全てのキャリアに第１の論理チャネルをマッピングし、ｎ＋ｋ番目のサブフレームで全てのキャリアに第１の論理チャネルをマッピングし、ｋは予め設定された時間間隔であってもよい。
【００７８】
図４は本発明の実施例における無線通信方法４００のフローチャートであり、図４に示すように、方法４００は、以下のステップの少なくとも一部を含む。
【００７９】
４１０において、ネットワークデバイスが端末デバイスに第１の指示情報を送信する。
【００８０】
任意選択で、当該第１の指示情報は、端末デバイスが１つ以上の無線ベアラのデータのコピー伝送を停止するように指示する。
【００８１】
任意選択で、端末デバイスは、第１の指示情報を受信した後、コピー送信を用いたデータ伝送を停止することをデフォルトとし、このとき、コピー送信を用いたデータ伝送時に確立されていたデータマッピング関係を解除してもよい。
【００８２】
端末デバイスは、第１の指示情報を受信した後、ネットワークデバイスの前に構成されたマッピング関係が既に存在しないことをデフォルトとし、端末デバイスは、マッピング関係を解放するための動作を再度実行する必要がなく、又は、端末デバイスは、第１の指示情報に基づいて、ネットワークデバイスの予め設定されたマッピング関係を解放してもよく、方法４００では、端末デバイスは、第１の指示情報に基づいて、ネットワークデバイスの予め設定されたマッピング関係を解放することのみを例としているが、本発明の実施例はこれに限定されない。
【００８３】
なお、このマッピング関係の解放は、第１の論理チャネルと第２の論理チャネルのマッピング関係を解放することでもよく、第１の論理チャネルと第１のキャリアとの間の予め配置されたマッピング関係を解放することでもよく、又は第２の論理チャネルと第２のキャリアとの間の予め配置されたマッピング関係を解放することでもよい。
【００８４】
なお、ここで「解放」とは、予め設定されたネットワークデバイスのマッピング関係を解除したり、予め設定されたネットワークデバイスのマッピング関係が存在しなくなったりすることを意味する。
【００８５】
４２０において、端末デバイスが第１の指示情報に基づいて、第１の論理チャネルと第２の論理チャネルとの関係を解放する。
【００８６】
なお、第１の論理チャネルと第２の論理チャネルとの関係は、ネットワークデバイスがＲＲＣシグナリングを介して予め端末デバイスに構成されたものであってもよい。
【００８７】
任意選択で、第１の論理チャネルと第２の論理チャネルとの関係を解放する前に、第２の論理チャネルは、第１の論理チャネルのデータのコピーデータを伝送するために使用され、第１の論理チャネルと第２の論理チャネルとの関係を解放した後に、第２の論理チャネルは、第１の論理チャネルとは異なるデータを伝送してもよいし、データを伝送しなくてもよく、本発明の実施例はこれに限定されない。
【００８８】
なお、ここで「解放」とは、予め設定されたネットワークデバイスのマッピング関係を解除したり、予め設定されたネットワークデバイスのマッピング関係が存在しなくなったりすることを意味する。
【００８９】
４３０において、端末デバイスが第１の指示情報に基づいて、予め設定された第１の論理チャネルと第１のキャリアとのマッピング関係を解放する。
【００９０】
なお、当該予め設定された第１の論理チャネルと第１のキャリアのマッピング関係は、ネットワークデバイスがＲＲＣシグナリングにより端末デバイスに構成されたものであってもよい。
【００９１】
なお、第１のキャリアは、１セットのキャリア、又は１つのキャリアである。本発明の実施例はこれに限定されない。
【００９２】
そして、設定された第１の論理チャネルと第１のキャリアとのマッピング関係は、１つの第１の論理チャネルが１セットの第１のキャリアを構成するものであってもよいし、１つの第１の論理チャネルが１つの第１のキャリアを構成するものであってもよいし、複数の第１の論理チャネルのそれぞれが、１セットの第１のキャリアを構成し、または、複数の第１の論理チャネルのそれぞれが、１つの第１のキャリアを構成する。
【００９３】
なお、ここで「解放」とは、予め設定されたネットワークデバイスのマッピング関係を解除したり、予め設定されたネットワークデバイスのマッピング関係が存在しなくなったりすることを意味する。
【００９４】
４４０において、端末デバイスが第１の指示情報に基づいて、予め設定された第２の論理チャネルと第２のキャリアとのマッピング関係を解放する。
【００９５】
なお、当該予め設定された第２の論理チャネルと第２のキャリアとのマッピング関係は、ネットワークデバイスがＲＲＣシグナリングにより端末デバイスに構成されたものであってもよい。
【００９６】
なお、第２のキャリアは、１セットのキャリア、又は１つのキャリアである。
【００９７】
すなわち、当該予め設定された第２の論理チャネルと第２のキャリアとのマッピング関係は、１つの第２の論理チャネルが１セットの第２のキャリアを構成するものであってもよいし、１つの第２の論理チャネルが１つの第２のキャリアを構成するものであってもよいし、複数の第２の論理チャネルのそれぞれが、１セットの第２のキャリアを構成し、または、複数の第２の論理チャネルのそれぞれが、１つの第２のキャリアを構成する。
【００９８】
なお、このステップ４４０は任意選択で、端末デバイスが第２の論理チャネルを使用してデータを送信する必要がないとき、端末デバイスは、第２の論理チャネルと第２のキャリアとの間のマッピング関係を解放しなくてもよい。
【００９９】
なお、ステップ４２０、４３０、４４０の間に必ずしも先後順序がなく、ステップ４２０、４３０、４４０は、任意選択で、即ち、端末デバイスは上記３つのステップの動作を有しなくてもよく、端末デバイスが第１指示情報を受信した後、上記マッピング関係が既に解放されていることをデフォルトとしてもよく、本発明の実施例は、方法４００が上記ステップ４２０、４３０、４４０を含むことを例に挙げて方法４００を説明するが、本発明の実施例はこれに限定されない。
【０１００】
４５０において、端末デバイスが第１の指示情報に基づいて、第１の論理チャネルを複数のキャリアの全てのキャリアにマッピングする。
【０１０１】
なお、当該複数のキャリアは、ネットワークデバイスが端末デバイスのために構成したキャリアの全てのキャリアである。
【０１０２】
４６０において、端末デバイスが第１の指示情報に基づいて、第２の論理チャネルを複数のキャリアの全てのキャリアにマッピングする。
【０１０３】
なお、このステップ４６０は任意選択であり、端末デバイスが第２の論理チャネルを使用してデータを伝送し、第２の論理チャネルによって伝送されるデータが第１の論理チャネルによって伝送されるデータと異なる場合、端末デバイスは、第２の論理チャネルをすべてのキャリアにマッピングすることができ、第２の論理チャネルがデータの伝送に使用されない場合、方法４００はステップ４６０を含まなくてもよい。
【０１０４】
また、端末デバイスが、第２の論理チャネルを使用して、第１の論理チャネルによって伝送されるデータとは異なるデータを伝送する場合、上記のステップ４５０と４６０との間に、必ずしも、先後順序がない。
【０１０５】
任意選択で、端末デバイスは、第１の指示情報を受信した後、直ちに全てのキャリアに第１の論理チャネルをマッピングするか、第１の論理チャネルと第２の論理チャネルとをそれぞれ全てのキャリアにマッピングするかを選択してもよいし、所定の時間間隔後に全てのキャリアに第１の論理チャネルをマッピングするか、所定の時間間隔後に全てのキャリアに第１の論理チャネルと第２の論理チャネルとをそれぞれマッピングするかを選択してもよい。
【０１０６】
４７０において、端末デバイスがネットワークデバイスに第２の指示情報を送信する。
【０１０７】
任意選択で、前記第２の指示情報は、前記端末デバイスが全てのキャリアに前記第１の論理チャネルをマッピングしたことを示すものであってもよいし、前記端末デバイスが全てのキャリアに前記第２の論理チャネルをマッピングしたことを示すものであってもよい。
【０１０８】
本発明の一実施例では、端末デバイスがネットワークデバイスから送信される指示情報を受信することによって、１以上の無線ベアラのデータのコピー送信を停止し、ネットワークデバイスが構成する複数のキャリアの全てに論理チャネルをマッピングすることによって、論理チャネルが複数のキャリアにデータを送信できるようにし、データ伝送のレートを向上させることができる。
【０１０９】
以上、図２〜図４を参照して本発明の方法の実施例を詳述したが、以下、図５〜図１０を参照して本発明の端末デバイス及びネットワークデバイスの実施例を詳細に説明するが、端末デバイス及びネットワークデバイスの実施例は、方法の実施例互いに対応しており、同様の説明は、方法の実施例を参照し得ることが理解される。
【０１１０】
図５は、本発明の一実施例に係る端末デバイス５００の概略的なブロック図であり、図５に示すように、端末デバイス５００は、以下のモジュールの一部又は全部を含む。
【０１１１】
受信モジュール５１０は、ネットワークデバイスにより送信された第１の指示情報を受信するように構成され、第１の指示情報は、前記端末デバイスが１つ以上の無線ベアラのデータのコピー伝送を停止するように指示する。
【０１１２】
処理モジュール５２０は、第１の指示情報に基づいて、第１の論理チャネルを複数のキャリアの全てのキャリアにマッピングするように構成され、複数のキャリアは、前記ネットワークデバイスが前記端末デバイスのために構成されたキャリアの全てのキャリアである。
【０１１３】
なお、第１の論理チャネルは、１つまたは複数の無線ベアラ下の論理チャネルであり、無線ベアラが１つの場合、１つの無線ベアラ下の複数の論理チャネルであってもよいし、１つの無線ベアラ下の１つの論理チャネルであってもよいし、無線ベアラが複数の場合、複数の無線ベアラの各々下の１つの論理チャネルであってもよいし、複数の無線ベアラの各々下の複数の論理チャネルであってもよいことを理解されたい。
【０１１４】
すなわち、この第１の論理チャネルは、複数の論理チャネルであってもよいし、一つの論理チャネルであってもよい。
【０１１５】
任意選択で、端末デバイス５００は、第１の指示情報を受信した後、コピーデータ伝送方式を用いてデータを伝送する際に確立されたマッピング関係を解除するようにしてもよい。
【０１１６】
なお、ここで「解放」は、ネットワークデバイス予め設定されたマッピング関係を解除することであり、又は、ネットワークデバイス予め設定されたマッピング関係が存在しないことである。
【０１１７】
すなわち、端末デバイスは、第１の指示情報を受信した後、コピー伝送方式を用いてデータを伝送する際に確立されたマッピング関係を解放又は解除することができるように初期設定されている。
【０１１８】
任意選択で、当該第１の指示情報は、メディアアクセス制御の制御ユニットＭＡＣ  ＣＥに搬送される。
【０１１９】
任意選択で、処理モジュール５２０は、さらに、前記第１の指示情報に基づいて、第１の論理チャネルと第２の論理チャネルとの関係が解放された第２の論理チャネルを前記複数のキャリアの全てのキャリアにマッピングするように構成される。
【０１２０】
なお、当該第２の論理チャネルは、複数の論理チャネル、又は１つの論理チャネルである。
【０１２１】
任意選択で、処理モジュール５２０は、さらに、前記第１の指示情報に基づいて、前記第１の論理チャネルと第２の論理チャネルとの関係を解放するように構成され、前記第１の論理チャネルと第２の論理チャネルとの関係を解放する前に、前記第２の論理チャネルは、前記第１の論理チャネルのデータのコピーデータを伝送する。
【０１２２】
任意選択で、処理モジュール５２０は、前記第１の論理チャネルを介して第１のデータを伝送し、前記第２の論理チャネルを介して第２のデータを伝送し又は前記第２の論理チャネルを介してデータを伝送することを停止するように構成される。
【０１２３】
任意選択で、処理モジュール５２０は、さらに、前記第１の指示情報に基づいて、予め設定された前記第１の論理チャネルと第１のキャリアとのマッピング関係を解放するように構成される。
【０１２４】
任意選択で、処理モジュール５２０は、さらに、前記第１の指示情報に基づいて、予め設定された前記第２の論理チャネルと第２のキャリアとのマッピング関係を解放するように構成される。
【０１２５】
なお、第２のキャリアは、１セットのキャリア、又は、１つのキャリアである。
【０１２６】
任意選択で、図６に示すように、端末デバイス５００は、ネットワークデバイスに第２の指示情報を送信するように構成される送信モジュール５３０を含む。
【０１２７】
任意選択で、当該第２の指示情報は、端末デバイス５００が第１の論理チャネルを複数のキャリアの全てのキャリアに解放したこと及び／又は端末デバイス５００が第２の論理チャネルを複数のキャリアの全てのキャリアに解放したことを示し、複数のキャリアは、ネットワークデバイスが端末デバイス５００のために構成されたキャリアの全てのキャリアである。
【０１２８】
任意選択で、処理モジュール５２０は、さらに、前記第１の指示情報を受信した後、所定の時間間隔において前記第１の論理チャネルを前記複数のキャリアの全てのキャリアにマッピングするように構成される。
【０１２９】
本発明の実施例における端末デバイス５００は、方法の実施例における端末デバイスに対応することができ、該端末デバイス５００における各モジュールの上記及び他の動作及び/又は機能は、それぞれ、図２〜図４における各方法における対応するフローを実施し、簡潔にするために、ここでは繰り返し説明しない。
【０１３０】
図７は、本発明の実施例に係る端末デバイス７００の概略構成図である。図７に示すように、端末デバイス７００は、メモリ７１０とプロセッサ７２０とを含み、メモリ７１０とプロセッサ７２０とは、内部接続経路を介して互いに通信し、制御信号及び/又はデータ信号を通信する。
【０１３１】
メモリ７１０は、プログラムコードを記憶するために使用される。
【０１３２】
プロセッサ７２０は、プログラムコードを呼び出して、上述の実施例における方法を実行する。
【０１３３】
本発明の実施例において、プロセッサ７２０は、中央プロセッサ( Ｃｅｎｔｒａｌ Ｐｒｏｃｅｓｓｉｎｇ Ｕｎｉｔ、ＣＰＵ )、ネットワークプロセッサ（ Ｎｅｔｗｏｒｋ Ｐｒｏｃｅｓｓｏｒ、ＮＰ )、又はＣＰＵとＮＰの組合せとすることができる。プロセッサは、ハードウェアチップをさらに含んでもよい。前記ハードウェアチップは、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、プログラマブルロジックデバイス( Ｐｒｏｇｒａｍｍａｂｌｅ Ｌｏｇｉｃ Ｄｅｖｉｃｅ、ＰＬＤ )、又はこれらの組み合わせであってもよい。
【０１３４】
本発明の実施例による端末デバイス７００は、方法の実施例における端末デバイスに対応することができ、端末デバイス７００の各モジュールの上記及び他の動作及び/又は機能は、図２〜図４の各方法の対応するフローをそれぞれ実現することが理解され、簡潔にするために、ここでは繰り返し説明しない。
【０１３５】
図８は、本発明の実施例に提供されるネットワークデバイス８００の概略的なフレームワークを示し、ネットワークデバイス８００は、図８に示されるように、以下のモジュールの一部または全部を含む。
【０１３６】
送信モジュール８１０は、端末デバイスに第１の指示情報を送信するように構成される。
【０１３７】
任意選択で、当該第１の指示情報は、端末デバイスが１つ以上の無線ベアラのデータのコピー伝送を停止するように指示する。
【０１３８】
任意選択で、当該第１の指示情報は、端末デバイスが第１の論理チャネルを複数のキャリアの全てのキャリアにマッピングするように指示し、複数のキャリアは、前記ネットワークデバイスが前記端末デバイスのために構成されたキャリアの全てのキャリアである。
【０１３９】
任意選択で、当該第１の指示情報は、前記端末デバイスが第１の論理チャネルと第２の論理チャネルとの関係が解放された第２の論理チャネルを前記複数のキャリアの全てのキャリアにマッピングするように指示する。
【０１４０】
任意選択で、第１の指示情報は、メディアアクセス制御の制御ユニットＭＡＣ  ＣＥに搬送される。
【０１４１】
任意選択で、図９に示すように、ネットワークデバイス８００は、受信モジュール８２０を含み、受信モジュール８２０は、端末デバイスからの第２の指示情報を受信するように構成される。
【０１４２】
任意選択で、当該第２の指示情報は、端末デバイスが第１の論理チャネルを複数のキャリアの全てのキャリアに解放したこと、及び／又は端末デバイスが第２の論理チャネルを複数のキャリアの全てのキャリアに解放したことを示し、前記複数のキャリアは、ネットワークデバイス８００が端末デバイスのために構成されたキャリアの全てのキャリアである。
【０１４３】
図１０は、本発明の実施例に係るネットワークデバイス１０００の概略構成図である。図１０に示されるように、ネットワークデバイス１０００は、メモリ１０１０とプロセッサ１０２０とを含み、メモリ１０１０とプロセッサ１０２０との間は、内部接続経路を介して互いに通信し、制御信号及び/又はデータ信号を通信する。
【０１４４】
メモリ１０１０は、プログラムコードを記憶するために使用される。
【０１４５】
プロセッサ１０２０は、プログラムコードを呼び出して、上述の実施例における方法を実行する。
【０１４６】
本発明の実施例において、プロセッサ１０２０は、中央プロセッサ( Ｃｅｎｔｒａｌ Ｐｒｏｃｅｓｓｉｎｇ Ｕｎｉｔ、ＣＰＵ )、ネットワークプロセッサ（ Ｎｅｔｗｏｒｋ Processor、ＮＰ )、又はＣＰＵとＮＰの組合せとすることができる。プロセッサは、ハードウェアチップをさらに含んでもよい。前記ハードウェアチップは、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、プロ具ラマブルロジックデバイス( Ｐｒｏｇｒａｍｍａｂｌｅ Ｌｏｇｉｃ Ｄｅｖｉｃｅ、ＰＬＤ )、又はこれらの組み合わせであってもよい。
【０１４７】
本発明の実施例は、上述の図２〜図４における本発明の実施例の無線リソース管理測定の方法を実行するための命令を含むコンピュータプログラムコードを記憶するコンピュータ可読媒体を提供する。この読み取り可能な媒体は、読み取り専用メモリ( Ｒｅａｄ−Ｏｎｌｙ Ｍｅｍｏｒｙ、ＲＯＭ )又はランダムアクセスメモリ（ Ｒａｎｄｏｍ Ａｃｃｅｓｓ Ｍｅｍｏｒｙ、ＲＡＭ )であってもよく、本発明の実施例はこれに限定されない。
【０１４８】
なお、本発明の実施例によるネットワークデバイス１０００は、方法の実施例におけるネットワークデバイスに対応することができ、ネットワークデバイス１０００における様々なモジュールの上記及び他の動作及び/又は機能は、図２〜図４における様々な方法のそれぞれのフローをそれぞれ実施することができ、簡潔にするために、ここでは繰り返し説明しないことを理解されたい。
【０１４９】
本発明の実施例は、入出力インターフェースと、命令を格納するための少なくとも１つのメモリと、上記態様の方法の動作を行うために少なくとも１つのメモリの命令を呼び出すための少なくとも１つのプロセッサと、バスとを含むシステムオンチップをさらに提供する。
【０１５０】
なお、ここでいう「及び/又は」は、関連のある対象を記述するための関連付けの一例に過ぎず、Ａ及び/又はＢのように３つの関連性があり得ることを意味し、Ａのみ、ＡとＢが同時に存在すること、Ｂのみが存在すること、の３つの場合があり得ることを意味する。なお、本文中の「/」の文字は、前後の関連オブジェクトが一種の「または」の関係であることを一般的に示す。
【０１５１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の範囲から逸脱するものと考えられるべきではない。
【０１５２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１５４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１５５】
また、本発明の各実施例における各機能部は、１つの処理部に集積されてもよいし、各部は物理的に別個に存在してもよいし、２つ以上の部が１つの部に集積されてもよい。
【０１５６】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ以上のコンピュータ命令を含む。コンピュータプログラムの命令がコンピュータにロードされ、実行されると、本発明の実施例にしたがったフローまたは機能が全体的にまたは部分的に生成される。コンピュータは、汎用コンピュータ、専用コンピュータ、コンピュータネットワーク、又は他のプログラム可能な装置であってもよい。コンピュータ命令は、コンピュータ可読記憶媒体に記憶され、または、例えば、ウェブサイト、コンピュータ、サーバ、またはデータセンタから、同軸ケーブル、光ファイバ、デジタル加入者線( ＤＳＬ )、または無線(例えば、赤外線、無線、マイクロ波など)などの有線を介して、別のウェブサイト、コンピュータ、サーバ、またはデータセンタに送信され得る、コンピュータ可読記憶媒体から別のコンピュータ可読記憶媒体に送信され得る。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ、ＳＳＤ )などであってもよい。
【０１５７】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。したがって、本発明の保護範囲は、特許請求の範囲によって定義されるべきである。
【図１】
2020532158.tif 000003
【図２】
2020532158.tif 000004
【図３】
2020532158.tif 000005
【図４】
2020532158.tif 000006
【図５】
2020532158.tif 000007
【図６】
2020532158.tif 000008
【図７】
2020532158.tif 000009
【図８】
2020532158.tif 000010
【図９】
2020532158.tif 000011
【図１０】
2020532158.tif 000012
【手続補正書】
【提出日】令和2年6月24日(2020.6.24)
【手続補正１】
【補正対象書類名】明細書
【補正対象項目名】０１４７
【補正方法】変更
【補正の内容】
【０１４７】
本発明の実施例は、上述の図２〜図４における本発明の実施例の無線通信方法を実行するための命令を含むコンピュータプログラムコードを記憶するコンピュータ可読媒体を提供する。この読み取り可能な媒体は、読み取り専用メモリ( Ｒｅａｄ−Ｏｎｌｙ Ｍｅｍｏｒｙ、ＲＯＭ )又はランダムアクセスメモリ（ Ｒａｎｄｏｍ Ａｃｃｅｓｓ Ｍｅｍｏｒｙ、ＲＡＭ )であってもよく、本発明の実施例はこれに限定されない。
【手続補正２】
【補正対象書類名】特許請求の範囲
【補正対象項目名】全文
【補正方法】変更
【補正の内容】
【特許請求の範囲】
【請求項１】
端末デバイスがネットワークデバイスにより送信された第１の指示情報を受信することと、
前記端末デバイスが前記第１の指示情報に基づいて、第１の論理チャネルを複数のキャリアの全てのキャリアにマッピングすることとを含み、
前記第１の指示情報は、前記端末デバイスが１つ以上の無線ベアラのデータのコピー伝送を停止するように指示し、前記複数のキャリアは、前記ネットワークデバイスが前記端末デバイスのために構成したキャリアの全てのキャリアである
ことを特徴とする無線通信方法。
【請求項２】
前記方法は、さらに、
前記端末デバイスが前記第１の指示情報に基づいて、第１の論理チャネルと第２の論理チャネルとの関係が解放された前記第２の論理チャネルを前記複数のキャリアの全てのキャリアにマッピングすることを含む
ことを特徴とする請求項１に記載の無線通信方法。
【請求項３】
前記端末デバイスが前記第１の指示情報に基づいて、第１の論理チャネルを複数のキャリアの全てのキャリアにマッピングする前に、前記方法は、さらに、
前記端末デバイスが前記第１の指示情報に基づいて、前記第１の論理チャネルと第２の論理チャネルとの関係を解放することを含み、
前記第１の論理チャネルと第２の論理チャネルとの関係を解放する前に、前記第２の論理チャネルは、前記第１の論理チャネルのデータのコピーデータを伝送する
ことを特徴とする請求項１又は２に記載の無線通信方法。
【請求項４】
前記端末デバイスが前記第１の指示情報に基づいて、前記第１の論理チャネルと第２の論理チャネルとの関係を解放することは、
前記端末デバイスが前記第１の論理チャネルを介して第１のデータを伝送し、前記第２の論理チャネルを介して第２のデータを伝送し又は前記第２の論理チャネルを介してデータを伝送することを停止することを含む
ことを特徴とする請求項３に記載の無線通信方法。
【請求項５】
前記端末デバイスが前記第１の指示情報に基づいて、第１の論理チャネルを複数のキャリアの全てのキャリアにマッピングする前に、前記方法は、さらに、
前記端末デバイスが前記第１の指示情報に基づいて、予め設定された前記第１の論理チャネルと第１のキャリアとのマッピング関係を解放することを含む
ことを特徴とする請求項１〜４のいずれか１項に記載の無線通信方法。
【請求項６】
前記端末デバイスが前記第１の指示情報に基づいて、第２の論理チャネルを前記複数のキャリアの全てのキャリアにマッピングする前に、前記方法は、さらに、
前記端末デバイス前記第１の指示情報に基づいて、予め設定された前記第２の論理チャネルと第２のキャリアとのマッピング関係を解放するように構成される
ことを特徴とする請求項２〜５のいずれか１項に記載の無線通信方法。
【請求項７】
前記方法は、さらに、
前記端末デバイスが前記ネットワークデバイスに第２の指示情報を送信することを含み、
前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項２〜６のいずれか１項に記載の無線通信方法。
【請求項８】
前記端末デバイスが前記第１の指示情報に基づいて、第１の論理チャネルを複数のキャリアの全てのキャリアにマッピングすることは、
前記端末デバイスが前記第１の指示情報を受信した後、所定の時間間隔において前記第１の論理チャネルを前記複数のキャリアの全てのキャリアにマッピングすることを含む
ことを特徴とする請求項１〜７のいずれか１項に記載の無線通信方法。
【請求項９】
前記第１の指示情報は、メディアアクセス制御の制御ユニットＭＡＣ  ＣＥに搬送される
ことを特徴とする請求項１〜８のいずれか１項に記載の無線通信方法。
【請求項１０】
ネットワークデバイスが端末デバイスに第１の指示情報を送信することを含み、
前記第１の指示情報は、前記端末デバイスが１つ以上の無線ベアラのデータのコピー伝送を停止し、前記端末デバイスが第１の論理チャネルを複数のキャリアの全てのキャリアにマッピングするように指示し、前記複数のキャリアは、前記ネットワークデバイスが前記端末デバイスのために構成したキャリアの全てのキャリアである
ことを特徴とする無線通信方法。
【請求項１１】
前記第１の指示情報は、さらに、前記端末デバイスが第１の論理チャネルと第２の論理チャネルとの関係が解放された第２の論理チャネルを前記複数のキャリアの全てのキャリアにマッピングするように指示する
ことを特徴とする請求項１０に記載の無線通信方法。
【請求項１２】
前記方法は、さらに、
前記ネットワークデバイスが前記端末デバイスにより送信された第２の指示情報を受信することを含み、前記第２の指示情報は、前記端末デバイスが前記第１の論理チャネルを複数のキャリアの全てのキャリアに解放したこと及び／又は前記端末デバイスが前記第２の論理チャネルを複数のキャリアの全てのキャリアに解放したことを指示する
ことを特徴とする請求項１０又は１１に記載の無線通信方法。
【請求項１３】
前記第１の指示情報は、メディアアクセス制御の制御ユニットＭＡＣ  ＣＥに搬送される
ことを特徴とする請求項１０〜１２のいずれか１項に記載の無線通信方法。
【請求項１４】
メモリとプロセッサを備える端末デバイスであって、
前記メモリは、プログラムコードを格納するように構成され、
前記プロセッサは、前記プログラムコードを呼び出して請求項１〜９のいずれか１項に記載の無線通信方法を実行するように構成される
ことを特徴とする端末デバイス。
【請求項１５】
メモリとプロセッサを備えるネットワークデバイスであって、
前記メモリは、プログラムコードを格納するように構成され、
前記プロセッサは、前記プログラムコードを呼び出して請求項１０〜１３のいずれか１項に記載の無線通信方法を実行するように構成される
ことを特徴とするネットワークデバイス。
【国際調査報告】
2020532158.tif 000013
2020532158.tif 000014
2020532158.tif 000015
2020532158.tif 000016